(57)【要約】【課題】使用者が手首に装着して使用するに際し、スマートフォンの操作性を損なわないスマートフォンホルダーを提供する。【解決手段】使用者が手首に装着して使用するためのスマートフォンホルダー１００は、スマートフォン２００を着脱可能に保持する保持部１０と、前記使用者の手首部分に固定されるリスト固定部３０と、保持部１０をリスト固定部３０に対して３６０度回動可能に接続する回動接続部とを備え、前記回動接続部は５段階以上の異なる角度で保持部１０の回動を固定可能である。【選択図】図６
0003190991.tif 000002
【実用新案登録請求の範囲】
【請求項１】
使用者が手首に装着して使用するためのスマートフォンホルダーであって、
a)スマートフォンを着脱可能に保持する保持部と、
b)前記使用者の手首部分に固定されるリスト固定部と、
c)前記保持部を前記リスト固定部に対して３６０度回動可能に接続する回動接続部と、
を備え、
前記回動接続部は、５段階以上の異なる角度で前記保持部の回動を固定可能であることを特徴とするスマートフォンホルダー。
【請求項２】
前記回動接続部はクリック機構によって前記保持部を固定することを特徴とする請求項１に記載のスマートフォンホルダー。
【請求項３】
前記回動接続部は、１２段階以上の異なる角度で前記保持部の回動を固定可能であることを特徴とする請求項１又は２に記載のスマートフォンホルダー。
【請求項４】
前記保持部は、スマートフォンが該保持部に裏面側から保持されたときに、該スマートフォンの四側面のうち少なくとも１つに接し、且つ該スマートフォンの表面を一部被覆する脱落防止部材を備えることを特徴とする請求項１〜３のいずれかに記載のスマートフォンホルダー。
【請求項５】
前記保持部は、スマートフォンが該保持部に裏面側から保持されたときに、該スマートフォンのカメラのレンズを遮蔽しないことを特徴とする請求項１〜４のいずれかに記載のスマートフォンホルダー。
【考案の詳細な説明】
【技術分野】
【０００１】
本考案は、使用者が手首に装着して使用するためのスマートフォンホルダーに関する。
【背景技術】
【０００２】
従来、携帯電話機等の小型電子機器を携行して使用する場合に、これを鞄から毎回取り出さねばならないという不便を解消するため、ベルト等に掛着可能なホルダーが開示されている。また、ホルダーを使用者の手首に装着可能とすることで、取り出しや目視をより容易としたものもある（例えば特許文献１及び２）。
【先行技術文献】
【特許文献】
【０００３】
【特許文献１】特開2010-130681号公報
【特許文献２】特開2002-344590号公報
【考案の概要】
【考案が解決しようとする課題】
【０００４】
近年は携帯電話の次世代機としてスマートフォンが広く普及している。スマートフォンにおいても、従来の携帯電話機と同様、取り出しやすさ・視認性等の観点から上述したような手首に装着可能なホルダーの使用は使用者にとっての利便性を高めるであろう。しかし、従来の携帯電話機用のホルダーをスマートフォンにそのまま適用することには、操作性の観点から次のような問題がある。
【０００５】
まず、従来の一般的な携帯電話機にあっては、使用者による入力はハードウェアボタンの押下によって行われる。この場合、使用者は目視及び指で触れた感触によって隣接するボタンを容易に判別可能であるため、操作に特別な困難性は伴わないと考えられる。
【０００６】
これに対し、スマートフォンにあっては、使用者による入力の大半は、平坦な画面上に表示されたボタン等のＧＵＩに対するタッチ操作により行われる。この操作では画面を正確にタッチする必要があるため、スマートフォンは使用者が操作しやすい姿勢を維持するよう保持されることが好ましい。さらに、スマートフォンは自装置の姿勢に依存して画面が回転するため、例えば使用者が所謂「縦持ち」の表示態様で入力操作を行いたいときに、ホルダーを装着した手首の姿勢によっては画面の回転によって「横持ち」の表示態様となり、入力操作が行いにくくなるという不都合が生じ得る。こうした不都合を回避するために表示設定を変更して画面の回転を禁止するという対策も考えられるが、これはｗｅｂページ等の閲覧時に好ましくない場合があり、状況に合わせて表示設定を頻繁に変更することは現実的とは言い難い。従って、従来の携帯電話機用である特許文献１又は２に記載のホルダーをスマートフォンにそのまま適用すれば、入力操作を行いやすくするために使用者が手首の姿勢を調整する必要があり、状況によっては不自然な体勢をとらねばならない場合がある。
【０００７】
本考案は上記の問題点に鑑みてなされたものであり、その目的とするところは、使用者が手首に装着して使用するスマートフォンホルダーにおいて、スマートフォンの操作性を損なわないことにある。
【課題を解決するための手段】
【０００８】
上記課題を解決するためになされた本考案は、使用者が手首に装着して使用するためのスマートフォンホルダーであって、
a)スマートフォンを着脱可能に保持する保持部と、
b)前記使用者の手首部分に固定されるリスト固定部と、
c)前記保持部を前記リスト固定部に対して３６０度回動可能に接続する回動接続部と、
を備え、
前記回動接続部は、５段階以上の異なる角度で前記保持部の回動を固定可能であることを特徴としている。
【０００９】
上記リスト固定部は、使用者の手首に巻回させるベルトを通すための穴が設けられた板状部材や、使用者の手首部分を把持可能な１又は複数のアームを備えた部材であってもよい。また、伸縮性を有する環状のベルトをリスト固定部としてもよい。
また上記回動接続部は、その一部が上記保持部及び上記リスト固定部の少なくともいずれかと一体に設けられていてもよい。
【００１０】
上記の構成によれば、スマートフォンを着脱可能に保持する保持部は、回動接続部を介してリスト固定部に接続されることで、使用者の手首部分に固定される。さらに、この保持部はリスト固定部に対して３６０度回動可能であり、５段階以上の異なる角度で回動が固定される。
これにより使用者は、スマートフォンホルダーを装着している手首の姿勢を大きく変更することなく、保持部を回動させることでスマートフォンを所望の姿勢で保持させることができる。従って、保持されたスマートフォンの操作性が損なわれない。
【００１１】
前記回動接続部はクリック機構によって前記保持部を固定する構成としてもよい。
この構成によれば、回動中のクリック感により固定位置が認識されやすくなるので、使用者による保持部の角度調整を補助することができる。
【００１２】
前記回動接続部は、１２段階以上の異なる角度で前記保持部の回動を固定可能である構成とすることが好ましい。
この構成によれば、保持部の回動は使用者にとって略任意の角度で固定されることとなり、スマートフォンホルダーを装着している手首がどのような姿勢であっても、スマートフォンを略任意の姿勢で保持させることができる。
【００１３】
前記保持部は、スマートフォンが該保持部に裏面側から保持されたときに、該スマートフォンの四側面のうち少なくとも１つに接し、且つ該スマートフォンの表面を一部被覆する脱落防止部材を備える構成とすることが好ましい。
この構成によれば、使用者の運動や姿勢変更等に起因する保持部の揺動や傾きによってスマートフォンが該保持部から脱落することが防止される。
【００１４】
前記保持部は、スマートフォンが該保持部に裏面側から保持されたときに、該スマートフォンのカメラのレンズを遮蔽しない構成とすることが好ましい。
この構成によれば、使用者はスマートフォンを保持部に保持させたまま撮影を行うことができる。
【考案の効果】
【００１５】
本考案によれば、使用者が手首に装着して使用するスマートフォンホルダーにおいて、スマートフォンの操作性が損なわれない。
【図面の簡単な説明】
【００１６】
【図１】（ａ）本考案の一実施形態に係るスマートフォンホルダーを表面側から見た平面図。（ｂ）（ａ）に示すスマートフォンホルダーを図中右側から見た側面図。
【図２】（ａ）図１に示すスマートフォンホルダーのＡ−Ａ’断面図。（ｂ）該スマートフォンホルダーの第２保持部材を図中左方向にスライドさせた状態を示す同断面図。
【図３】図１に示すスマートフォンホルダーにスマートフォンが保持された状態を表面側から見た平面図。
【図４】（ａ）図１に示すスマートフォンホルダーが備える保持部を裏面側から見た平面図。（ｂ）該保持部のＢ−Ｂ’断面図。（ｃ）該保持部のＢ−Ｂ’断面図の別の例。
【図５】（ａ）図１に示すスマートフォンホルダーが備える回動接続部及びリスト固定部を示す斜視図。（ｂ）該回動接続部に設けられた溝を示す部分断面図。
【図６】（ａ）図１に示すスマートフォンホルダーが使用者の手首部分に装着された状態を、保持部に保持されたスマートフォンとともに示す説明図。（ｂ）（ａ）に示す状態から保持部をリスト固定部に対し９０度回転させた状態を示す説明図。（ｃ）（ａ）に示す状態から保持部をリスト固定部に対し−４５度回転させた状態を示す説明図。
【図７】図１に示すスマートフォンホルダーが使用者の手首部分に装着された状態を、保持部から取り外されたスマートフォンとともに示す図。
【考案を実施するための形態】
【００１７】
図１〜図７を参照しつつ、本考案に係るスマートフォンホルダーの一実施形態について説明する。
図１（ａ）は、本実施形態に係るスマートフォンホルダー１００を表面から見た平面図である。図１（ｂ）は、スマートフォンホルダー１００を図中右側から見た側面図である。
スマートフォンホルダー１００は保持部１０、回動接続部２０及びリスト固定部３０を備えて成る構成であり、これら三者は、保持部１０側から挿通される雌ネジ１０１と、リスト固定部３０側から挿通される雄ネジ１０２とが螺嵌することによって締結されている。
【００１８】
保持部１０は第１保持部材１１と第２保持部材１２とを備えており、それぞれに縁部保持材１１１、１２１（本考案における脱落防止部材に相当）が備えられている。第１保持部材１１と第２保持部材１２とは、第１保持部材１１の穴１１２に図中右側より挿通され、第２保持部材１２のネジ穴１２２に螺嵌するネジ１０３によって接続されている。なお、保持部１０の形状及び寸法は、スマートフォンの機種に対応して各種用意しておき、使用者が選択できるようにしておくことが好ましい。
【００１９】
リスト固定部３０は保持部１０を使用者の手首部分に固定するための支持体であり、図１（ｂ）に示す例では回動接続部２０と一体に設けられている。リスト固定部３０にはベルト通し穴３１が設けられており、このベルト通し穴３１に不図示の巻回ベルトを通し、該巻回ベルトを使用者の手首に巻回することによってスマートフォンホルダー１００が使用者の手首部分に固定される。好ましくは上記巻回ベルトは面ファスナー等の係着機構を備え、これによって手首部分に固定されたスマートフォンホルダー１００の脱落を防止する。
【００２０】
図２に、スマートフォンホルダー１００のＡ−Ａ’（図１（ａ）参照）断面図を示す。図２（ａ）は、保持部１０を図中左右に延伸する力が印加されていない状態を示す。同図では第１保持部材１１と第２保持部材１２との対向する側面が接している。なお、穴１１２はネジ１０３の頭部を収容可能な座ぐり部を有する穴であり、ネジ１０３は頭部から上記座ぐり部の底部までの長さを有するコイルバネ１０４にも挿通されている。
【００２１】
ここで、図中白矢印の方向（左方向）に第２保持部材１２をスライドさせた状態を図２（ｂ）に示す。ネジ１０３はネジ穴１２２に螺嵌しているため、第２保持部材１２とともに図中左方向に移動する。一方、コイルバネ１０４は穴１１２の座ぐり部の底部に押し付けられて縮むことで弾性力を生じる。第２保持部材１２に対する力の印加が解除されると、上記弾性力によって図中黒矢印の方向に第２保持部材１２がスライドし、第１保持部材１１と第２保持部材１２との対向する側面が再び接することとなる（すなわち図２（ａ）の状態に戻る）。
【００２２】
以上の構成によれば、使用者がスマートフォンホルダー１００を装着していない方の手を用いて第２保持部材１２をスライドさせ、縁部保持材１１１と縁部保持材１２１との間にスマートフォンを載置し手を離せば、該スマートフォンが保持部１０に保持される。コイルバネ１０４の材質・線径・巻き数等は、使用者の運動や姿勢変更等に起因する保持部１０の揺動や傾きによって第２保持部材１２がスライドしないように適宜決定されることが好ましい。
【００２３】
図３は、スマートフォンホルダー１００にスマートフォン２００が保持された状態を表面側から見た平面図である。
スマートフォン２００は本体部２０１、表示部２０２及びハードウェアボタン２０３を備え、表示部２０２はタッチパネルと一体に設けられている。スマートフォン２００はまた、裏面側にレンズ２０４を備えるカメラを本体部２０１に内蔵している。
【００２４】
同図に示すようにスマートフォン２００が保持部１０に裏面側から保持されると、本体部２０１の４側面の一部がそれぞれ縁部保持材１１１又は１２１に保持される。さらに、縁部保持材１１１及び１２１は、本体部２０１の表面を一部被覆するように内側に僅かに伸長している。これにより、保持部１０からのスマートフォン２００の脱落がさらに効果的に防止される。
【００２５】
なお、縁部保持材１１１及び１２１の上記内側への伸長は、スマートフォン２００が保持部１０に保持された状態において表示部２０２及びハードウェアボタン２０３を被覆しない程度とすることが好ましい。これは、使用者によるスマートフォン２００の表示内容の視認や入力操作を妨げないためである。さらに、第１保持部材１１の裏面側の形状は、スマートフォン２００が備えるレンズ２０４を遮蔽しないものであることが好ましい。これにより使用者は、スマートフォン２００を保持部１０から取り出さずに上記カメラで撮影を行うことができる。
【００２６】
図４（ａ）は、保持部１０の第１保持部材１１を裏面側から見た平面図である。第１保持部材１１の裏面には、穴１１５の近傍に突起１１３が設けられている。穴１１５には雌ネジ１０１が挿通される。点線で描かれた同心円は、表面側にて雌ネジ１０１の頭部を収容するために穴１１５が備える座ぐり部の径である。
図４（ｂ）は、第１保持部材１１のＢ−Ｂ’断面図である。一例として、突起１１３は半円形の断面形状を有する。突起１１３の断面形状はこの他、半楕円形であってもよいし、図４（ｃ）に示す突起１１３ａのような台形状又は矩形状であってもよい。
【００２７】
図５（ａ）は、回動接続部２０及びリスト固定部３０の斜視図である。保持部１０の第１保持部材１１の裏面と対向する回動接続部２０の面２１には溝２３が複数設けられている。穴２５は雌ネジ１０１が挿通される穴であり、リスト固定部３０の裏面側まで貫通している。同図に示す例では、溝２３は雌ネジ１０１を軸とした保持部１０の回動に伴う突起１１３の公転の軌道上に等間隔で２４個、すなわち１５度間隔で設けられている。
図５（ｂ）に溝２３の周方向断面図を示す。溝２３は、図４（ｂ）に示す突起１１３を収容可能な溝であり、保持部１０の回動時に突起１１３が各溝２３に嵌合することにより、保持部１０の回動角度が固定されるとともに、使用者にクリック感がもたらされる。
【００２８】
以上説明した構成によれば、保持部１０、回動接続部２０及びリスト固定部３０が締結されて成るスマートフォンホルダー１００において、保持部１０はリスト固定部３０に対し３６０度回動可能であるとともに、略使用者の任意の角度で固定される。なお、面２１に設けられる溝２３の個数は上述した２４個に限定されないが、少なくとも５個、好ましくは８個、さらに好ましくは１２個以上である。
【００２９】
図６を参照して、スマートフォンホルダー１００の使用例について説明する。スマートフォンホルダー１００は、リスト固定部３０のベルト通し穴３１に通されたベルト４０が使用者の手首に巻回されることで該使用者の手首上に固定されている。そして例えば、使用者がスマートフォン２００を縦持ちの状態で使用する場合には図６（ａ）に示す角度で保持部１０を固定すればよい。一方、スマートフォン２００を横持ちの状態で使用する場合には、保持部１０を９０度回転させればよい（図６（ｂ））。また、この状態であればスマートフォンホルダー１００を装着している腕を動かした際に周囲の物にぶつかる等の不都合が生じ難くなるので、スマートフォン２００を使用しないときには図６（ｂ）に示す状態が好ましいであろう。さらに、保持部１０は１５度間隔で固定可能であるので、使用者の取りやすい姿勢に応じて、例えば図６（ｃ）に示すように、図６（ａ）の状態から−４５度回動させた状態で固定させてもよい。
【００３０】
すなわち本実施形態によれば、使用者の姿勢に応じて最も入力操作を行いやすいよう、スマートフォン２００の角度を調整及び維持することができる。従って、操作性を損なうことなくスマートフォン２００を手首上に固定することができる。
【００３１】
なお、使用者は例えばスマートフォンホルダー１００を装着していない方の手で本体部２０１を把持し所定方向（図２に示す例では左方向）に力を印加することで、第２保持部材１２をスライドさせてスマートフォン２００を保持部１０から取り外すことができる（図７）。これにより、使用者はスマートフォン２００の使用場面に合わせて、保持部１０に保持させるか否かを任意に選択することができる。具体的には、例えば通話を行う際にはスマートフォン２００を保持部１０から取り外すといった選択が可能である。
【００３２】
本考案は上述した実施形態に限定されるものではなく、本考案の趣旨の範囲で適宜変更が許容される。例えば、リスト固定部は使用者の手首部分を把持可能な１又は複数のアームを備えた部材や、伸縮性を有する環状のベルトであってもよい。また、上述の実施形態では回動接続部２０がリスト固定部３０と一体に設けられた構成について説明を行ったが、これらが別体であり、ネジ等によって締結されてもよい。
さらに、上述の実施形態では突起１１３が溝２３に嵌合することにより保持部１０を固定するクリック機構をスマートフォンホルダー１００が備える構成について説明を行ったが、本考案の別の例として、第１保持部材１１の裏面と回動接続部２０の面２１との摩擦により、保持部１０の任意の回動角度で固定するようにしてもよい。この例では、例えば９０度間隔で回動接続部２０の面２１に溝を設け、この溝に第１保持部材１１に裏面に設けられた突起が嵌合することで現在の回動角度が使用者に分かるようにしてもよい。
【符号の説明】
【００３３】
１０…保持部
１００…スマートフォンホルダー
１０１…雌ネジ
１０２…雄ネジ
１０３…ネジ
１０４…コイルバネ
１１…第１保持部材
１１１、１２１…縁部保持材
１１２…穴
１１３…突起
１１５…穴
１２…第２保持部材
１２２…ネジ穴
２０…回動接続部
２００…スマートフォン
２０１…本体部
２０２…表示部
２０３…ハードウェアボタン
２０４…レンズ
２３…溝
２５…穴
３０…リスト固定部
３１…ベルト通し穴
４０…ベルト
【図１】
0003190991.tif 000003
【図２】
0003190991.tif 000004
【図３】
0003190991.tif 000005
【図４】
0003190991.tif 000006
【図５】
0003190991.tif 000007
【図６】
0003190991.tif 000008
【図７】
0003190991.tif 000009